(57)【要約】  可撓性水溶性物品と、可撓性非水溶性フィルムとを含む洗浄製品。【特許請求の範囲】
【請求項１】
洗浄製品であって、
ａ．内部室を画定する外側可撓性非水溶性フィルムと、
ｂ．洗浄組成物を含む、該内部室内に収容された少なくとも１つの可撓性水溶性物品と、を含み、
該内部室の体積は、該物品の体積よりも１５％を超えて大きくない、洗浄製品。
【請求項２】
前記外側フィルムを破らなければ、前記内部室から前記物品を取り出すことができないように、前記外側フィルムが封止されている、請求項１に記載の製品。
【請求項３】
前記外側フィルムが、熱シール、圧力シール、低温接着剤、熱活性化接着剤、圧力活性化接着剤、超音波シール又はこれらの組み合わせによって封止されている、請求項２に記載の製品。
【請求項４】
前記洗浄組成物が、固体、液体、分散体、ゲル、ペースト、スラリー又はこれらの混合物である、請求項１〜３のいずれか一項に記載の製品。
【請求項５】
前記物品が、少なくとも１つの内部区画を画定する水溶性フィルムを含み、前記区画内に前記洗浄組成物が収容されている、請求項１〜４のいずれか一項に記載の製品。
【請求項６】
少なくとも２つ、又は更に少なくとも３つ、又は更に少なくとも４つ、又は更に少なくとも５つの区画を含む、請求項５に記載の製品。
【請求項７】
前記洗浄組成物が、布地洗浄組成物、自動食器洗浄組成物、硬質表面洗浄組成物又はこれらの混合物から選択される、請求項１〜６のいずれか一項に記載の製品。
【請求項８】
前記内部室が、前記物品の体積よりも１２％、又は更に１０％、又は更に８％、又は更に５％を超えて大きくない、請求項１〜７のいずれか一項に記載の製品。
【請求項９】
２つ、又は更に３つ、又は更に４つの物品を含み、前記内部室の体積が、前記物品の体積よりも１５％、又は更に１２％、又は更に１０％又は更に８％、又は更に５％を超えて大きくない、請求項１〜８のいずれか一項に記載の製品。
【請求項１０】
前記外側フィルムが、不織布材料、織布材料又はこれらの混合物から作製されている、請求項１〜９のいずれか一項に記載の製品。
【請求項１１】
前記外側フィルムが、孔又は間隙を含み、好ましくは、前記外側フィルムが、ネット又はウェブの形態である、請求項１〜１０のいずれか一項に記載の製品。
【請求項１２】
前記外側フィルムが、プラスチック材料、金属性材料又はこれらの組み合わせを含み、好ましくは、ポリエチレン、ポリプロピレン、ポリエチレンテレフタレート、脂肪族ポリアミド、アルミニウム、紙又はこれらの組み合わせを含む、請求項１〜１１のいずれか一項に記載の製品。
【請求項１３】
前記外側フィルムが、単層フィルム又は積層フィルムである、請求項１〜１２のいずれか一項に記載の製品。
【請求項１４】
前記外側フィルムが、印刷領域を含む、請求項１〜１３のいずれか一項に記載の製品。
【請求項１５】
前記水溶性フィルムが、印刷領域を含む、請求項１〜１４のいずれか一項に記載の製品。
【請求項１６】
水平フロー包装、縦型充填シール、横型充填シール又はこれらの組み合わせによって、前記物品を前記外側フィルムで包装する工程を含む、請求項１〜１５のいずれか一項に記載の包装製品を製造するプロセス。
【請求項１７】
開口部を含む、予備成形された若しくは成形された外側フィルムを形成する工程と、重力又は機械的挿入による落下によって前記物品を該開口部を通して該予備成形された若しくは成形されたフィルムに入れる工程と、該フィルム開口部を閉じて封止する工程とを含むか、又は前記物品の周りに前記外側フィルムを形成し、前記フィルムを閉じて封止する工程を含む、請求項１６に記載のプロセス。
【請求項１８】
請求項１〜１７のいずれか一項に記載の製品を少なくとも１つ含むパッケージであって、剛性、可撓性、又はこれらの組み合わせであり、再封可能な開口部を含む、パッケージ。
【発明の詳細な説明】
【技術分野】
【０００１】
本発明は、可撓性水溶性物品と、可撓性非水溶性フィルムとを含む、洗浄製品に関する。
【背景技術】
【０００２】
洗浄組成物を含む可撓性水溶性物品は、消費者に非常に人気となっている。このような物品は、物品を水に接触させたときにのみ放出される洗浄組成物を含む。これは、消費者に対して、スクープ又は他の計量手段を必要とせずに洗剤を水に投入する簡便な手段を提供する。
【０００３】
しかしながら、こうした物品は、水溶性であるために、保管中に偶発的に水に接触した場合、使用前に（prematurely）破裂してしまうという課題がある。こうした接触には、消費者が包装容器（packaging tub）又は包装バッグの中の隣接する物品を取り出すときに、偶発的に濡れた手で物品に触れてしまうこと、又は保管時における空気中の水分との接触に起因するものが含まれ得る。更に、かかる物品の可撓性の性質に起因して、あまりにも大きな外圧が物品上に加えられると、保管中に破裂が生じる場合もある。
【０００４】
物品の破裂は、消費者にとって汚く、面倒なことであり得、内部の組成物材料及び／又はフィルム材料による隣接する物品の汚染を招き得る。
【発明の概要】
【発明が解決しようとする課題】
【０００５】
したがって、破裂という事象を最低限に抑えつつ、消費者に対する物品の利便性をなお維持する、可撓性水溶性洗浄物品が当該技術分野にて必要とされている。
【０００６】
驚くべきことに、外側非水溶性フィルムを含む洗浄製品がこの課題を克服することが見出された。
【課題を解決するための手段】
【０００７】
本発明の第１の態様は、洗浄製品であって、
ａ．内部室を画定する外側可撓性非水溶性フィルムと、
ｂ．洗浄組成物を含む、内部室内に収容された少なくとも１つの可撓性水溶性物品と、を含み、
内部室の体積は、物品の体積よりも１５％を超えて大きくない、洗浄製品である。
【０００８】
本発明の第２の態様は、本発明に係る包装製品を製造するプロセスであって、水平フロー包装、縦型充填シール、横型充填シール又はこれらの組み合わせによって、物品を外側フィルムで包装する工程を含む、プロセスである。
【０００９】
本発明の第３の態様は、本発明に係る製品を少なくとも１つ含むパッケージであって、剛性、可撓性、又はこれらの組み合わせであり、再封可能な開口部を含む、パッケージである。
【発明を実施するための形態】
【００１０】
洗浄製品
本発明の洗浄製品は、外側可撓性非水溶性フィルムと、少なくとも１つの可撓性水溶性物品とを含む。「可撓性」とは、本明細書中、剛性でないことを意味する。言い換えれば、外側フィルム又は物品は、ユーザが取り扱う際に柔軟性を示し、ユーザによって小さな機械的圧力が加えられた際に少なくとも一時的に形状を変えることができる。これは、形状を変えるためには大きな機械的圧力が必要とされる剛性物とは対照的であり、また、このような変化は、必ずしも一時的であるわけではない。
【００１１】
外側可撓性非水溶性フィルムは、洗浄製品の内部室を画定する。内部室内には、少なくとも１つの可撓性水溶性物品が収容されている。
【００１２】
内部室は、体積を有し、可撓性水溶性物品は、体積を有し、内部室の体積は、物品の体積よりも１５％を超えて大きくない。内部室は、物品の体積よりも１２％、又は更に１０％、又は更に８％、又は更に５％を超えて大きくなくてもよい。
【００１３】
あるいは、外側非水溶性フィルムは、洗浄製品の内部室を画定し、内部室内には、少なくとも２つ、又は更に３つ、又は更に４つの物品が収容され、内部室の体積は、物品の体積よりも１５％、又は更に１２％、又は更に１０％、又は更に８％、又は更に５％を超えて大きくない。
【００１４】
好ましくは、可撓性外側フィルムは、外側フィルムを破らなければ、内部室から可撓性水溶性物品を取り出すことができないように、封止されている。
【００１５】
洗浄製品は、任意の好適な形状を有し得る。洗浄製品は、正方形、長方形、円形、超楕円形又は長円形を有し得る。
【００１６】
外側可撓性非水溶性フィルム
外側可撓性フィルムは、非水溶性であれば、任意の好適なフィルムであってもよい。外側可撓性フィルムは、材料の連続した途切れのないシートの形状であってもよい。外側可撓性フィルムは、孔又は間隙を含み得る。外側可撓性フィルムが孔又は間隙を含む場合、これらは、例えば、フィルム材料の軽微な欠陥として、非意図的に存在するものであってもよい。あるいは、孔又は間隙は、例えば、外側可撓性フィルムがネット又はウェブの形態であるように、意図的に存在してもよい。
【００１７】
外側可撓性フィルムは、不織布材料、織布材料又はこれらの混合物から作製され得る。
【００１８】
外側可撓性フィルムは、人工材料、天然由来材料又はこれらの組み合わせから作製され得る。フィルムは、プラスチック材料、金属性材料又はこれらの組み合わせから作製され得る。フィルムは、単一の層を含むものであってもよいし、少なくとも２つの層を含むように積層されてもよい。層は、同じ材料又は異なる材料から作製され得る。
【００１９】
外側可撓性フィルムは、ポリエチレン、ポリプロピレン、ポリエチレンテレフタレート、脂肪族ポリアミド（ナイロンとしても知られる）、アルミニウム、紙又はこれらの組み合わせを含み得る。
【００２０】
好ましくは、可撓性外側フィルムは、外側フィルムを破らなければ、内部室から可撓性水溶性物品を取り出すことができないように、封止されている。外側可撓性フィルムは、熱シール、圧力シール、接着剤、熱活性化接着剤、圧力活性化接着剤、超音波シール又はこれらの組み合わせによって封止することができる。外側可撓性フィルムは、洗浄製品が１つのみのシール、又は少なくとも２つのシール、又は更に少なくとも３つのシールを含むように封止され得る。可撓性外側フィルムは、洗浄製品が、製品の両側に配置された２つのシールを含むように成形され得る。あるいは、製品が、製品の長さに沿って続く１つのシールを含むように成形され得る。あるいは、フィルムは、製品が３つのシールを含み、その１つが製品の長さにわたり、更なる２つのシールが製品の両側に配置されてあるように成形され得る。
【００２１】
外側可撓性フィルムは、開封を補助する手段を含み得る。例えば、「引裂帯」、ミシン目、脆弱領域又はこれらの組み合わせを含み得る。
【００２２】
外側可撓性非水溶性フィルムは、不透明であっても、半透明であっても、透明であってもよい。外側フィルムは、印刷領域を含み得る。印刷領域は、フレキソ印刷又はレーザ印刷などの標準的な印刷技術により適用され得る。印刷は、染料、インク、これらの混合物の塗料を含み得る。印刷領域は、フィルムの外面上に含まれてもよいし、少なくとも部分的にフィルムの内部に含まれてもよいし、これらの組み合わせであってもよい。印刷は、純粋に美的なものであってもよいし、当該外側可撓性フィルムを開けるための説明及び／又は洗浄操作中の使用説明などの有用な情報を提供するものであってもよい。
【００２３】
あるいは、フィルムは、フィルムの少なくとも一部が着色されるように製造中に加えられた着色剤を含み得る。
【００２４】
可撓性水溶性物品
可撓性水溶性物品は、洗浄組成物を含む。水溶性物品は、水に加えると、溶解して組成物を洗浄溶液に放出する。水溶性物品は、組成物を保持するのに好適な、すなわち物品が水に接触する前に組成物及び任意の追加の成分を物品から放出させない任意の形態、形状、及び材料であってもよい。この正確な実施は、例えば、単位用量物品内の組成物の種類及び量によって変わり得る。単位用量物品は、実質的に、正方形、長方形、長円形、楕円形、超楕円形、又は円形の形状を有してもよい。形状は、２つ以上のフィルムが互いに封止される位置にフランジ又はスカートとして存在する任意の余剰の材料を含んでもよいし、含まなくてもよい。「実質的に」とは、本明細書において、形状が、例えば、正方形であるという全体的な印象を有することを意味する。例えば、丸みのある角及び／又は直線ではない辺を有してもよいが、全体として正方形であるという印象を与えるものである。
【００２５】
水溶性単位用量物品は、水溶性フィルムを含み得る。このような実施において、水溶性フィルムは、好ましくは、内部区画を画定し、当該区画内に洗浄組成物が収容されている。好ましくは、水溶性物品は、少なくとも２つの水溶性フィルムと、少なくとも１つの内部区画とを含み、この区画は、フィルムによって取り囲まれ、内部空間を有し、その内部空間内に、洗浄組成物を含む。
【００２６】
単位用量物品は、高さ、幅及び長さを有する。これらの寸法のいずれかの最大値は、単位用量物品の両側にある２つの点の間の最大距離を意味するものとする。言い換えれば、単位用量物品は、まっすぐな辺を有していない場合もあるため、測定がなされる場所に応じて変わり得る長さ、幅及び高さを有し得る。したがって、最大値は、互いに最も離れている任意の２つの点で測定する必要がある。
【００２７】
最大長さは、２ｃｍ〜８ｃｍ、又は更に３ｃｍ〜７ｃｍ、又は更に３．５ｃｍ〜７ｃｍである。
【００２８】
最大幅は、２ｃｍ〜８ｃｍ、又は更に３ｃｍ〜７ｃｍである。
【００２９】
最大高さは、１ｃｍ〜５ｃｍ又は更に２ｃｍ〜４．５ｃｍである。
【００３０】
長さ：高さの比は、３：１〜１：１であってもよく、幅：高さの比は、３：１〜１：１、若しくは更に２．５：１〜１：１であり、長さの高さに対する比は、３：１〜１：１であり、幅の高さに対する比は、３：１〜１：１、若しくは更に２．５：１〜１：１であり、又はこれらの組み合わせである。
【００３１】
物品の体積は、１０〜４０ｍＬ、又は更に１０〜３５ｍＬ、又は更に１０〜３０ｍＬであってもよい。
【００３２】
物品は、３５ｇ未満、又は更に１０ｇ〜３３ｇ、又は更に１０ｇ〜３０ｇの重量を有し得る。単位用量物品は、１０ｇ〜３１ｇ、又は更に１５ｇ〜３０ｇの重量を有し得る。
【００３３】
物品は、気体を含み得、当該気体の体積と洗浄組成物の体積との比は、１：４〜１：２０、又は更に１：５〜１：１５、又は更に１：５〜１：９である。あるいは、当該気体の体積と洗浄組成物の体積との比は、１：２５〜１：１０、又は更に１：２０〜１５：１である。水溶性単位用量物品は、複数の区画を含む。単位用量物品は、２つ、又は３つ、又は４つ、又は５つの区画を含み得る。
【００３４】
多区画物品の形態は、化学的に非相溶性の成分を分けるためなどの理由で望ましい場合があり、これは、成分の一部分を先に又は後に洗液に放出する場合に望ましいる。物品は、少なくとも２つ、又は更に少なくとも３つ、又は更に少なくとも４つ、又は更に少なくとも５つの区画を含み得る。複数の区画は、任意の好適な配向で配置してもよい。例えば、物品は、下部区画と少なくとも第１の上部区画とを含み得、上部区画は、下部区画の上に重ねて置かれる。物品は、下部区画と、少なくとも第１及び第２の上部区画とを含み得、これらの上部区画は、並置され、下部区画の上に重ねて置かれ、好ましくは、物品は、下部区画と、少なくとも第１、第２及び第３の上部区画を含み、これらの上部区画は、並置され、下部区画の上に重ねて置かれる。
【００３５】
合わせた上部区画の表面積対体積比と、下部区画の表面積対体積比との比は、１：１．２５〜１：２．２５、又は更に１：１．５〜１：２であってもよい。この文脈において、表面積は、外部環境にのみ接触しているものであり、隣接する区画と接触しているものではない。あるいは、合わせた上部区画の表面積対体積比と、下部区画の表面積対体積比との比は、１：１〜３：１、又は更に１．５：１〜２：１であってもよい。この文脈において、表面積は、外部環境にのみ接触しているものであり、隣接する区画と接触しているものではない。
【００３６】
あるいは、区画は、全てが並置されるように位置付けられてもよい。このような配置において、区画は、互いに連結され、隔壁を共有してもよいし、又は実質的に分離され、コネクタ若しくはブリッジによって簡単に結合されていてもよい。あるいは、区画は、「タイヤ・リム」配向、すなわち、第１の区画が第２の区画の隣に位置付けられ、第１の区画は、第２の区画を少なくとも部分的に囲うが、第２の区画を完全に取り囲んではいない配向で配置されてもよい。
【００３７】
好ましくは、物品は、単位用量物品を１Ｌビーカー中の２０〜２１℃の脱イオン水９５０ｍＬに加えて、水を５ｃｍの磁気攪拌棒を用いて３５０ｒｐｍで攪拌すると、１０秒〜５分で破裂する。破裂とは、本明細書中、フィルムが目に見えて分解するか、分裂することを意味する。フィルムの分解又は分裂の直後に、内部の液体洗剤組成物が物品から周囲の水中へと出るのが認められ得る。
【００３８】
物品は、不透明であっても、半透明であっても、透明であってもよい。物品は、印刷された領域を含み得る。印刷された領域は、物品の表面の１０〜８０％の範囲であってもよい。
【００３９】
印刷領域は、物品の連続した部分を占めるものであってもよく、又は印刷領域は、物品の一部を占めるもの、すなわち、より小さい印刷領域であってもよく、その合計は、物品の表面の１０〜８０％である。
【００４０】
印刷領域は、インク、顔料、染料、青味剤又はこれらの混合物を含み得る。印刷領域は、不透明であっても、半透明であっても、透明であってもよい。
【００４１】
印刷領域は、単一の色を含み得、又は複数の色、更には３つの色を含み得る。印刷領域は、白、黒、青、赤の各色又はこれらの組み合わせを含み得る。印刷は、物品表面上の層として存在してもよいし、物品中に少なくとも部分的に浸透していてもよい。
【００４２】
印刷領域は、インクを含み得、インクは、顔料を含む。物品上に印刷するためのインクは、好ましくは、所望の水中分散グレードを有する。インクは、白、赤、及び黒を含む、いかなる色であってもよい。インクは、１０重量％〜８０重量％又は２０重量％〜６０重量％又は２５重量％〜４５重量％の水を含む水性インクであってもよい。インクは、２０重量％〜９０重量％又は４０重量％〜８０重量％又は５０重量％〜７５重量％の固体を含んでいてもよい。
【００４３】
インクは、１０００ｓ−１の剪断速度で２０℃にて測定した場合、１〜６００ｃＰｓ又は５０〜３５０ｃＰｓ又は１００〜３００ｃＰｓ又は１５０〜２５０ｃＰｓの粘度を有し得る。測定値は、ＴＡ  ｉｎｓｔｒｕｍｅｎｔｓのＡＲ−５５０レオメーターでコーンプレート形状を用いて得ることができる。
【００４４】
印刷領域は、フレキソ印刷又はインクジェット印刷などの標準的な技術を用いて行うことができる。あるいは、物品の全て又は少なくとも一部が着色されるように、物品の製造中にインク又は顔料を添加してもよい。
【００４５】
水溶性フィルム
物品のフィルムは、水に可溶性であるか、又は分散性であり、２０マイクロメートルの最大孔径を有するガラスフィルターを用いた後に本明細書で示される方法によって測定する場合に、好ましくは少なくとも５０％、好ましくは少なくとも７５％、又は更に少なくとも９５％の水溶性を有する：
予め秤量した４００ｍＬビーカーに、５０グラム±０．１グラムのフィルム材料を入れ、２４５ｍＬ±１ｍＬの蒸留水を添加する。これを、６００ｒｐｍに設定した磁気撹拌機上で３０分間激しく撹拌する。その後、混合物を、上で定義した孔径（最大２０マイクロメートル）の組み立て式定性焼き付けガラスフィルターで濾過する。回収した濾液から任意の従来の方法によって水を乾燥させ、残った材料の重量を測定する（これが溶解又は分散画分である）。その後、溶解度又は分散度を計算することができる。
【００４６】
好ましいフィルム材料は、好ましくはポリマー材料である。フィルム材料は、例えば、当分野において公知の、ポリマー材料の注型成形、吹込成形、押出成形又は吹込押出成形により得ることができる。
【００４７】
パウチ材料としての使用に好適な好ましいポリマー、コポリマー又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包含するポリサッカライド、キサンタン及びカラガムなどの天然ガムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えばＰＶＡポリマーの濃度は、少なくとも６０％である。ポリマーは、任意の重量平均分子量、好ましくは、約１０００〜１，０００，０００、より好ましくは、約１０，０００〜３００，０００、更により好ましくは、約２０，０００〜１５０，０００を有することができる。
【００４８】
ポリマーの混合物は、フィルム材料としても使用可能である。これは、その用途及び必要とされるニーズに応じて、区画又はパウチの機械的特性及び／又は溶解特性を制御するのに有益であり得る。好適な混合物には、例えば、１つのポリマーが別のポリマーよりもより高い水溶性を有し、かつ／又は１つのポリマーが別のポリマーよりもより高い機械的強度を有する、混合物が挙げられる。異なる重量平均分子量を有するポリマーの混合物、例えば、重量平均分子量が約１０，０００〜４０，０００、好ましくは２０，０００前後のＰＶＡ又はそのコポリマーと、重量平均分子量が約１００，０００〜３００，０００、好ましくは１５０，０００前後のＰＶＡ又はそのコポリマーとの混合物も、好適である。ポリマーブレンド組成物、例えば、加水分解で分解可能で水溶性のポリマーブレンド（ポリラクチド及びポリビニルアルコールを混合することにより得られ、典型的に約１〜３５重量％のポリラクチド、及び約６５〜９９重量％のポリビニルアルコールを含む、ポリラクチドとポリビニルアルコールのポリマーブレンドなど）を含むポリマーブレンド組成物も、本明細書において好適である。本明細書での使用に好ましいポリマーは、材料の溶解特性を改善するために約６０％〜約９８％加水分解された、好ましくは約８０％〜約９０％加水分解されたポリマーである。
【００４９】
好ましいフィルム材は、ポリマー材料である。フィルム材料は、例えば、当該技術分野において既知のように、ポリマー材料を注型成形、吹込成形、押出成形、又は吹込押出成形することによって得ることができる。パウチ材料としての使用に好適な好ましいポリマー、コポリマー又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包含するポリサッカライド、キサンタン及びカラガムなどの天然ガムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えばＰＶＡポリマーの濃度は、少なくとも６０％である。ポリマーは、任意の重量平均分子量、好ましくは、約１０００〜１，０００，０００、より好ましくは、約１０，０００〜３００，０００、更により好ましくは、約２０，０００〜１５０，０００を有することができる。ポリマー混合物もまた、パウチ材料として使用することができる。これは、その用途及び必要とされるニーズに応じて、区画又はパウチの機械的特性及び／又は溶解特性を制御するのに有益であり得る。好適な混合物には、例えば、１つのポリマーが別のポリマーよりもより高い水溶性を有し、かつ／又は１つのポリマーが別のポリマーよりもより高い機械強度を有する、混合物が挙げられる。異なる重量平均分子量を有するポリマーの混合物、例えば、重量平均分子量が約１０，０００〜４０，０００、好ましくは２０，０００前後のＰＶＡ又はそのコポリマーと、重量平均分子量が約１００，０００〜３００，０００、好ましくは１５０，０００前後のＰＶＡ又はそのコポリマーとの混合物も、好適である。ポリマーブレンド組成物、例えば、加水分解で分解可能で水溶性のポリマーブレンド（ポリラクチド及びポリビニルアルコールを混合することにより得られ、典型的に約１〜３５重量％のポリラクチド、及び約６５〜９９重量％のポリビニルアルコールを含む、ポリラクチドとポリビニルアルコールのポリマーブレンドなど）を含むポリマーブレンド組成物も、本明細書において好適である。本明細書での使用に好ましいポリマーは、材料の溶解特性を改善するために約６０％〜約９８％加水分解された、好ましくは約８０％〜約９０％加水分解されたポリマーである。
【００５０】
好ましいフィルムは、冷水（蛇口から直接得た加熱していない水を意味する）中で、良好な溶解を示す。好ましくは、このようなフィルムは、２５℃未満、より好ましくは２１℃未満、より好ましくは１５℃未満の温度で良好な溶解を示す。良好な溶解とは、上述した最大孔径２０マイクロメートルのガラスフィルターを用いた後、本明細書にて記載する方法によって測定した場合、フィルムが少なくとも５０％、好ましくは少なくとも７５％、又は更に少なくとも９５％の水溶解度を示すことを意味する。
【００５１】
好ましいフィルムは、Ｍｏｎｏｓｏｌが商品照会名Ｍ８６３０、Ｍ８９００、Ｍ８７７９、Ｍ８３１０で供給するもの、米国特許第６１６６１１７号及び米国特許第６７８７５１２号に記載のフィルム、並びに対応する溶解度及び変形特性を有するＰＶＡフィルムである。更に好ましいフィルムは、米国特許出願公開第２００６／０２１３８０１号、国際公開第２０１０／１１９０２２号、米国特許出願公開第２０１１／０１８８７８４号及び米国特許第６７８７５１２号に記載されている。
【００５２】
好ましい水溶性フィルムは、１つ又は２つ以上のＰＶＡポリマーを含む樹脂であり、好ましくは、当該水溶性フィルム樹脂は、ＰＶＡポリマーのブレンドを含む。例えば、ＰＶＡ樹脂は、少なくとも２つのＰＶＡポリマーを含むことができ、本明細書で使用するとき、第１のＰＶＡポリマーは、第２のＰＶＡポリマーよりも低い粘度を有する。第１のＰＶＡポリマーは、少なくとも８ｃＰ（ｃＰは、センチポアズを意味する）、１０ｃＰ、１２ｃＰ、又は１３ｃＰ、及び最大で４０ｃＰ、２０ｃＰ、１５ｃＰ、又は１３ｃＰ、例えば、約８ｃＰ〜約４０ｃＰ、又は１０ｃＰ〜約２０ｃＰ、又は約１０ｃＰ〜約１５ｃＰ、又は約１２ｃＰ〜約１４ｃＰの範囲、又は１３ｃＰの粘度を有し得る。更に、第２のＰＶＡポリマーは、少なくとも約１０ｃＰ、２０ｃＰ、又は２２ｃＰ、及び最大で約４０ｃＰ、３０ｃＰ、２５ｃＰ、又は２４ｃＰ、例えば、約１０ｃＰ〜約４０ｃＰ、又は２０〜約３０ｃＰ、又は約２０〜約２５ｃＰ、又は約２２〜約２４ｃＰの範囲、又は約２３ｃＰの粘度を有し得る。ＰＶＡポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを備えたＢｒｏｏｋｆｉｅｌｄ  ＬＶ型粘度計を使用して、新たに作製した溶液を測定することにより決定される。４％のポリビニルアルコール水溶液の２０℃における粘度を指定することが国際的な慣行である。本明細書においてｃＰで明記されている全ての粘度は、特に指定のない限り、４％のポリビニルアルコール水溶液の２０℃における粘度を指すと理解されるべきである。同様に、樹脂が特定の粘度を有する（又は有しない）と記載されるとき、特に指定のない限り、指定された粘度は、樹脂の平均粘度であり、対応する分子量分布を本質的に有することが意図される。
【００５３】
ＰＶＡ樹脂の加水分解度が本明細書に記載の範囲内にある限り、個々のＰＶＡポリマーは、任意の好適な加水分解度を有し得る。任意選択的に、ＰＶＡ樹脂は、追加的又は代替的に、約５０，０００〜約３００，０００ダルトン、又は約６０，０００〜約１５０，０００ダルトンの範囲のＭｗを有する第１のＰＶＡポリマーと、約６０，０００〜約３００，０００ダルトン、又は約８０，０００〜約２５０，０００ダルトンの範囲のＭｗを有する第２のＰＶＡポリマーとを含み得る。
【００５４】
ＰＶＡ樹脂は、約１０〜約４０ｃＰの範囲の粘度及び約８４％〜約９２％の範囲の加水分解度を有する、１つ又は２つ以上の追加のＰＶＡポリマーを更に含み得る。
【００５５】
ＰＶＡ樹脂が約１１ｃＰ未満の平均粘度及び約１．８〜約２．３の範囲の多分散指数を有する第１のＰＶＡポリマーを含む場合、ある種の実施形態では、ＰＶＡ樹脂は、約３０重量％未満の第１のＰＶＡポリマーを含有する。同様に、ＰＶＡ樹脂が約１１ｃＰ未満の平均粘度及び約１．８〜約２．３の範囲の多分散指数を有する第１のＰＶＡポリマーを含む場合、別の非限定的な種類の実施形態では、ＰＶＡ樹脂は、約７０，０００ダルトン未満のＭｗを有するＰＶＡポリマーを約３０重量％未満含有する。
【００５６】
本明細書に記載するフィルム中のＰＶＡ樹脂の総量のうち、ＰＶＡ樹脂は、約３０〜約８５重量％の第１のＰＶＡポリマー、又は約４５〜約５５重量％の第１のＰＶＡポリマーを含み得る。例えば、ＰＶＡ樹脂は、各ＰＶＡポリマーを約５０重量％ずつ含有することができ、その場合、第１のＰＶＡポリマーの粘度は、約１３ｃＰであり、第２のＰＶＡポリマーの粘度は、約２３ｃＰである。
【００５７】
ある種の実施形態は、約１０〜約１５ｃＰの範囲の粘度及び約８４％〜約９２％の範囲の加水分解度を有する第１のＰＶＡポリマーを約４０〜約８５重量％含むＰＶＡ樹脂によって特徴付けられる。別の種類の実施形態は、約１０〜約１５ｃＰの範囲の粘度及び約８４％〜約９２％の範囲の加水分解度を有する第１のＰＶＡポリマーを約４５〜約５５重量％含むＰＶＡ樹脂によって特徴付けられる。ＰＶＡ樹脂は、約２０〜約２５ｃＰの範囲の粘度及び約８４％〜約９２％の範囲の加水分解度を有する第２のＰＶＡポリマーを約１５〜約６０重量％含み得る。１つの考えられる種類の実施形態は、約４５〜約５５重量％の第２のＰＶＡポリマーを含むＰＶＡ樹脂によって特徴付けられる。
【００５８】
ＰＶＡ樹脂が複数のＰＶＡポリマーを含む場合、ＰＶＡ樹脂のＰＤＩ値は、あらゆる個々の含まれたＰＶＡポリマーのＰＤＩ値よりも大きい。任意選択的に、ＰＶＡ樹脂のＰＤＩ値は、２．２、２．３、２．４、２．５、２．６、２．７、２．８、２．９、３．０、３．１、３．２、３．３、３．４、３．５、３．６、３．７、３．８、３．９、４．０、４．５、又は５．０より大きい。
【００５９】
好ましくは、ＰＶＡ樹脂は、約８０〜約９２％、又は約８３〜約９０％、又は約８５〜８９％の加重平均加水分解度
【００６０】
【数１】
2017522420.tif 000002
を有する。例えば、２種又はそれ以上のＰＶＡポリマーを含むＰＶＡ樹脂の
【００６１】
【数２】
2017522420.tif 000003
は、式
【００６２】
【数３】
2017522420.tif 000004
によって計算され、式中、Ｗｉは、各ＰＶＡポリマーの重量パーセントであり、Ｈｉは、対応する加水分解度である。また、約１０〜約２５、又は約１２〜約２２、又は約１３．５〜約２０の加重対数粘度
【００６３】
【数４】
2017522420.tif 000005
を有するＰＶＡ樹脂を選択することが望ましい。２種又はそれ以上のＰＶＡポリマーを含むＰＶＡ樹脂の
【００６４】
【数５】
2017522420.tif 000006
は、式
【００６５】
【数６】
2017522420.tif 000007
によって計算され、式中、μιは、各ＰＶＡポリマーの粘度である。
【００６６】
また更に、０．２５５〜０．３１５、又は０．２６０〜０．３１０、又は０．２６５〜０．３０５、又は０．２７０〜０．３００、又は０．２７５〜０．２９５、好ましくは０．２７０〜０．３００の範囲の樹脂選択指数（ＲＳＩ）を有するＰＶＡ樹脂を選択することが望ましい。ＲＳＩは、式Σ（Ｗｉ│μｉ−μｔ│）／Σ（Ｗｉμｉ）によって計算され、式中、μｔは、１７であり、μｉは、各ＰＶＯＨポリマーのそれぞれの平均粘度であり、Ｗｉは、各ＰＶＯＨポリマーの重量パーセントである。
【００６７】
アニオン性基のＧは、好ましくは、ＯＳＯ３Ｍ、ＳＯ３Ｍ、ＣＯ２Ｍ、ＯＣＯ２Ｍ、ＯＰＯ３Ｍ２、ＯＰＯ３ＨＭ及びＯＰＯ２Ｍからなる群から選択される。より好ましくは、アニオン性基のＧは、ＯＳＯ３Ｍ、ＳＯ３Ｍ、ＣＯ２Ｍ、及びＯＣＯ２Ｍからなる群から選択される。最も好ましくは、アニオン性基のＧは、ＳＯ３Ｍ及びＣＯ２Ｍからなる群から選択される。
【００６８】
当然のことながら、さまざまなフィルム材料及び／又は異なる厚さのフィルムを、本発明の区画を作製するのに使用することができる。さまざまなフィルムを選択する利点は、その結果得られる区画が異なる溶解度又は放出特性を示し得ることである。
【００６９】
本明細書のフィルム材料はまた、１種又は２種以上の添加剤成分を含むことができる。例えば、可塑剤、例えば、グリセロール、エチレングリコール、ジエチレングリコール、プロピレングリコール、ソルビトール、及びこれらの混合物を添加するのが有益となり得る。他の添加剤としては、水と、例えば有機ポリマー分散剤などの洗浄水に送達される水を含めた機能性洗剤添加剤と、が挙げられる。
【００７０】
フィルムは、不透明であっても、半透明であっても、透明であってもよい。フィルムは、印刷された領域を含み得る。印刷された領域は、フィルムの表面の１０〜８０％、又は区画の内部空間に接触しているフィルムの表面の１０〜８０％、又はフィルムの表面の１０〜８０％及び区画の表面の１０〜８０％の範囲であってもよい。
【００７１】
印刷領域は、フィルムの連続した部分を占めるものであってもよく、又は印刷領域は、物品の一部を占めるもの、すなわち、より小さい印刷領域であってもよく、その合計は、フィルムの表面若しくは区画の内部空間に接触しているフィルムの表面又はその両方の１０〜８０％である。
【００７２】
印刷領域は、インク、顔料、染料、青味剤又はこれらの混合物を含み得る。印刷領域は、不透明であっても、半透明であっても、透明であってもよい。
【００７３】
印刷領域は、単一の色を含み得、又は複数の色、更には３つの色を含み得る。印刷領域は、白、黒、青、赤の各色又はこれらの組み合わせを含み得る。印刷は、フィルム表面上の層として存在してもよいし、フィルム中に少なくとも部分的に浸透していてもよい。フィルムは、第１の側面と第２の側面とを含むこととなる。印刷領域は、フィルムのいずれか一方の側にあってもよく、フィルムの両側にあってもよい。あるいは、印刷領域は、フィルム自体の内部に少なくとも部分的に含まれていてもよい。
【００７４】
印刷領域は、インクを含み得、インクは、顔料を含む。フィルム上に印刷するためのインクは、好ましくは、所望の水中分散グレードを有する。インクは、白、赤、及び黒を含む、いかなる色であってもよい。インクは、１０重量％〜８０重量％又は２０重量％〜６０重量％又は２５重量％〜４５重量％の水を含む水性インクであってもよい。インクは、２０重量％〜９０重量％又は４０重量％〜８０重量％又は５０重量％〜７５重量％の固体を含んでいてもよい。
【００７５】
インクは、１０００ｓ−１の剪断速度で２０℃にて測定した場合、１〜６００ｃＰｓ又は５０〜３５０ｃＰｓ又は１００〜３００ｃＰｓ又は１５０〜２５０ｃＰｓの粘度を有し得る。測定値は、ＴＡ  ｉｎｓｔｒｕｍｅｎｔｓのＡＲ−５５０レオメーターでコーンプレート形状を用いて得ることができる。
【００７６】
印刷領域は、フレキソ印刷又はインクジェット印刷などの標準的な技術を用いて行うことができる。好ましくは、印刷領域は、フレキソ印刷により行われ、フィルムに印刷がなされた後、開口した区画の形状に成形される。次いで、この区画に洗剤組成物が充填され、この区画の上に第２のフィルムが配置され、第１のフィルムが封止される。印刷領域は、フィルムのいずれか一方の側又は両側にあってもよい。
【００７７】
あるいは、フィルムの全て又は少なくとも一部が着色されるように、フィルムの製造中にインク又は顔料を添加してもよい。
【００７８】
フィルムは、嫌悪剤、例えば、苦味剤を含み得る。好適な苦味剤には、ナリンジン、オクタアセチルスクロース、塩酸キニーネ、安息香酸デナトニウム、又はこれらの混合物が挙げられるが、これらに限定されない。任意の好適な濃度の嫌悪剤をフィルムに用いることができる。好適な濃度は、１〜５０００ｐｐｍ、又は更に１００〜２５００ｐｐｍ、又は更に２５０〜２０００ｒｐｍが挙げられるが、これらに限定されない。
【００７９】
洗浄組成物
組成物は、任意の好適な組成物であってもよい。組成物は、固体、液体、分散体、ゲル、ペースト、スラリー又はこれらの混合物の形態であってもよい。組成物は、液体、粉末、又はこれらの組み合わせの形態であってよい。組成物の非限定的な例には、洗浄組成物、布地ケア組成物及び硬質表面洗浄剤が挙げられる。より具体的には、組成物は、前処理又は浸漬組成物及び他のすすぎ添加剤組成物を含む、洗濯布地ケア又は食器洗浄組成物であってもよい。洗浄組成物は、布地洗浄組成物、自動食器洗浄組成物、硬質表面洗浄組成物又はこれらの混合物から選択することができる。組成物は、布地洗剤組成物又は自動食器洗浄組成物であり得る。布地洗剤組成物は、メイン洗浄プロセス中に使用してもよいし、前処理又は浸漬組成物として使用することもできる。
【００８０】
布地ケア組成物には、布地洗剤、布地柔軟剤、ツーインワン（２−ｉｎ−１）洗剤及び柔軟剤、前処理組成物などが挙げられる。布地ケア組成物は、典型的な布地ケア組成物を含み、これらには、界面活性剤、ビルダー、キレート剤、移染防止剤、分散剤、酵素及び酵素安定剤、触媒物質、漂白活性化剤、高分子分散剤、粘土汚れ除去／再付着防止剤、増白剤、抑泡剤、染料、追加の香料及び香料送達系、構造弾性化剤、布地柔軟剤、担体、ヒドロトロープ、加工助剤及び／又は顔料並びにこれらの混合物が挙げられる。組成物は、シェーディング染料、界面活性剤、ポリマー、香料、カプセル化香料物質、構造化剤及びこれらの混合物を含む群から選択される成分を含む、洗濯洗剤組成物であってもよい。
【００８１】
組成物は、界面活性剤、ビルダー、スルホン化／カルボキシル化ポリマー、シリコーン抑泡剤、ケイ酸塩、金属及び／又はガラスケア剤、酵素、漂白剤、漂白活性化剤、漂白触媒、アルカリ源、香料、染料、溶媒、充填剤並びにこれらの混合物から選択される成分を含む、自動食器洗浄組成物であってもよい。
【００８２】
界面活性剤は、アニオン性、カチオン性、双性イオン性、非イオン性、両性又はこれらの混合物から選択することができる。好ましくは、布地ケア組成物は、アニオン性、非イオン性又はこれらの混合物を含む。
【００８３】
アニオン性界面活性剤は、直鎖アルキルベンゼンスルホネート、アルキルエトキシレートサルフェート及びこれらの組み合わせから選択され得る。
【００８４】
本明細書で有用である好適なアニオン性界面活性剤は、液体洗剤製品で典型的に使用される従来のアニオン性界面活性剤の種類のいずれを含んでもよい。これらには、アルキルベンゼンスルホン酸及びこれらの塩、並びにアルコキシル化又は非アルコキシル化アルキルサルフェート物質が挙げられる。
【００８５】
本明細書に用いるのに好適な非イオン性界面活性剤としては、アルコールアルコキシレート非イオン性界面活性剤が挙げられる。アルコールアルコキシレートは、一般式：Ｒ１（ＣｍＨ２ｍＯ）ｎＯＨ（式中、Ｒ１は、Ｃ８〜Ｃ１６アルキル基であり、ｍは、２〜４であり、ｎは、約２〜１２の範囲である）に相当する材料である。一態様では、Ｒ１は、一級又は二級であってもよく、約９〜１５個の炭素原子、又は約１０〜１４個の炭素原子を含むアルキル基である。一態様では、アルコキシル化脂肪族アルコールはまた、１分子当たり約２〜１２個のエチレンオキシド部分、又は１分子当たり約３〜１０個のエチレンオキシド部分を含有するエトキシル化物質である。
【００８６】
本洗濯ケア組成物に使用されるシェーディング染料は、ポリマー性又は非ポリマー性染料、顔料、又はこれらの混合物を含み得る。好ましくは、シェーディング染料は、発色団成分及びポリマー性成分を含む、ポリマー性染料を含む。発色団成分は、光に曝露すると、青、赤、スミレ色、紫、又はこれらの組み合わせの範囲の波長の光を吸収するものであると特徴付けられる。一態様では、発色団成分は、水及び／又はメタノール中で最大約５２０ナノメートル〜約６４０ナノメートルの吸光度スペクトルを示し、他の態様では、水及び／又はメタノール中で約５６０ナノメートル〜約６１０ナノメートルの吸光度スペクトルを示す。
【００８７】
任意の好適な発色団を用いることができるが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジン及びフタロシアニン染料発色団から選択される。モノ及びジアゾ染料発色団が好ましい。
【００８８】
シェーディング染料は、少なくとも３つの連続する繰り返し単位のうちの１つ又は２つ以上に共有結合している発色団を含む染料ポリマーを含み得る。繰り返し単位自体が発色団を含む必要はないことを理解されたい。染料ポリマーは、少なくとも５個、又は少なくとも１０個、又は更に少なくとも２０個の連続する繰り返し単位を含み得る。
【００８９】
繰り返し単位は、オキシアルキレンオキシ及びポリオキシアルキレンオキシと組み合わせたフェニルジカルボキシレートなどの有機エステルから誘導することができる。繰り返し単位は、アルケン、エポキシド、アジリジン、炭水化物から誘導することができ、これらには、変性セルロース、例えば、ヒドロキシアルキルセルロース；ヒドロキシプロピルセルロース；ヒドロキシプロピルメチルセルロース；ヒドロキシブチルセルロース；及びヒドロキシブチルメチルセルロース又はこれらの混合物を含む単位が挙げられる。繰り返し単位は、アルケン若しくはエポキシド又はこれらの混合物から誘導され得る。繰り返し単位は、Ｃ２〜Ｃ４のアルキレンオキシ基（アルコキシ基と呼ばれることもある）であってもよく、好ましくはＣ２〜Ｃ４のアルキレンオキシドから誘導され得る。繰り返し単位は、Ｃ２〜Ｃ４のアルコキシ基、好ましくはエトキシ基であり得る。
【００９０】
本発明の目的のために、少なくとも３つの連続する繰り返し単位がポリマー性成分を形成する。ポリマー性成分は、発色団基に直接共有結合していてもよいし、連結基を介して間接的に共有結合していてもよい。好適なポリマー性成分の例としては、複数の繰り返し単位を有するポリオキシアルキレン鎖が挙げられる。一態様では、ポリマー性成分は、２〜約３０個の繰り返し単位、２〜約２０個の繰り返し単位、２〜約１０個の繰り返し単位、又は更に約３若しくは４〜約６個の繰り返し単位を有するポリオキシアルキレン鎖を含む。ポリオキシアルキレン鎖の非限定例には、エチレンオキシド、プロピレンオキシド、グリシドールオキシド、ブチレンオキシド、及びこれらの混合物が挙げられる。
【００９１】
染料は、有機合成経路の直接生成物である未精製混合物の形態で洗剤組成物に組み込まれてもよい。したがって、染料ポリマーに加えて、あらゆる重合工程の結果として生じることが予測される、少量の未反応出発物質、副反応生成物及び異なる鎖長の繰り返し単位を含む染料ポリマーの混合物も存在し得る。
【００９２】
組成物は、洗浄性能及び／又は布地ケア効果を提供する１つ又は２つ以上の洗浄性酵素を含んでもよい。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ及び／又はセルラーゼのような従来の適用可能な酵素をアミラーゼと組み合わせた混液である。
【００９３】
本発明の布地ケア組成物は、１つ又は２つ以上の漂白剤を含み得る。漂白触媒以外の好適な漂白剤としては、光漂白剤、漂白活性化剤、過酸化水素、過酸化水素源、予め形成させた過酸、及びこれらの混合物が挙げられる。一般的に、漂白剤が使用される場合、本発明の組成物は、標記洗浄組成物の約０．１重量％〜約５０重量％、又は更に約０．１重量％〜約２５重量％の漂白剤を含んでよい。
【００９４】
組成物は、増白剤を含み得る。好適な増白剤は、増白剤１５等のスチルベンである。他の好適な増白剤は、疎水性増白剤、及び増白剤４９である。増白剤は、３〜３０マイクロメートル、又は３マイクロメートル〜２０マイクロメートル、又は３〜１０マイクロメートルの範囲内の重量平均粒径を有する微粉化粒子形態であってもよい。増白剤は、α又はβ結晶形態であってもよい。
【００９５】
本明細書の組成物はまた、１つ又は２つ以上の銅、鉄、及び／又はマンガンキレート剤を任意選択的に含有してもよい。使用される場合、キレート剤は、一般に、本明細書の組成物の重量で、約０．１％〜約１５％、又は更には本明細書の組成物の重量で、約３．０％〜約１５％含まれるであろう。
【００９６】
組成物は、炭酸カルシウム結晶成長阻害剤を含み得、例えば、１−ヒドロキシエタンジホスホン酸（ＨＥＤＰ）及びその塩；Ｎ，Ｎ−ジカルボキシメチル−２−アミノペンテン−１，５−二酸及びその塩；２−ホスホノブタン−１，２，４−トリカルボン酸及びその塩；並びにこれらの任意の組み合わせからなる群から選択されるものである。
【００９７】
本発明の組成物はまた、１種又は２種以上の移染防止剤を含んでもよい。好適なポリマー移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の重量で、約０．０００１％から、約０．０１％から、約０．０５％から、洗浄組成物の重量で、約１０％まで、約２％まで、又は更には約１％までの濃度で存在する。
【００９８】
布地ケア組成物は、１つ又は２つ以上のポリマーを含み得る。好適なポリマーとしては、カルボキシレートポリマー、ポリエチレングリコールポリマー、テレフタレートポリマーなどのポリエステル汚れ放出ポリマー、アミンポリマー、セルロース系ポリマー、移染防止ポリマー、イミダゾールとエピクロロヒドリンとの縮合によって生成される縮合オリゴマーなどの染料固定ポリマー、任意選択的に１：４：１の比率で、ヘキサメチレンジアミン誘導体ポリマー、及びこれらの任意の組み合わせが挙げられる。
【００９９】
他の好適なセルロース系ポリマーは、０．０１〜０．９９の置換度（ＤＳ）と、ＤＳ＋ＤＢが少なくとも１．００であるか、又はＤＢ＋２ＤＳ−ＤＳ２が少なくとも１．２０であるかのいずれかとなるようなブロック度（ＤＢ）とを有し得る。置換セルロース系ポリマーは、少なくとも０．５５の置換度（ＤＳ）を有し得る。置換セルロース系ポリマーは、少なくとも０．３５のブロック度（ＤＢ）を有し得る。置換セルロース系ポリマーは、１．０５〜２．００のＤＳ＋ＤＢを有し得る。好適な置換セルロース系ポリマーは、カルボキシメチルセルロースである。
【０１００】
別の好適な置換セルロース系ポリマーは、カチオン変性ヒドロキシエチルセルロースである。
【０１０１】
好適な香料としては、香料マイクロカプセル、シッフ塩基香料／ポリマー複合体を含むポリマー支援香料送達システム、デンプンにカプセル化された香料アコード、香料充填ゼオライト、ブルーミング香料のアコード、及びこれらの任意の組み合わせが挙げられる。好適な香料マイクロカプセルは、メラミンホルムアルデヒド系であり、典型的には、メラミンホルムアルデヒドを含むシェルによってカプセル化される香料を含む。このような香料マイクロカプセルは、ポリビニルホルムアミド（ＰＶＦ）及び／又はカチオン変性ヒドロキシエチルセルロース（ｃａｔＨＥＣ）などのカチオン性材料及び／又はカチオン性前駆体材料をシェル内に含むことが非常に好適であり得る。
【０１０２】
好適な抑泡剤としては、シリコーン、及び／又はステアリン酸などの脂肪酸が挙げられる。
【０１０３】
水溶性物品を製造する方法
プロセスは、連続的であっても断続的であってもよい。プロセスは、開放パウチを形成する工程、好ましくは水溶性フィルムで型を形成して開放パウチを形成する工程、開放パウチに組成物を充填する工程、組成物を充填した開放パウチを閉じる工程、好ましくは第２の水溶性フィルムを用いて物品を形成する工程の一般的工程を含む。第２のフィルムも同様に区画を含み得、区画は、組成物を含んでも含まなくてもよい。あるいは、第２のフィルムは、開放パウチを閉じるために使用される、１つ又は２つ以上の区画を備える第２の閉鎖パウチであってもよい。好ましくは、プロセスは、物品のウェブが作られ、次いで、当該ウェブが切断されて個々の物品が形成されるプロセスである。
【０１０４】
物品は、熱成形、真空成形又はこれらの組み合わせによって製造することができる。物品は、当該技術分野において既知の任意の封止方法を用いて封止することができる。好適な封止方法には、熱シール、溶剤シール、圧力シール、超音波シール、圧力シール、レーザシール又はこれらの組み合わせを挙げることができる。
【０１０５】
物品は、ダスティング剤をかけてもよい。ダスティング剤には、タルク、シリカ、ゼオライト、カーボネート又はこれらの混合物が挙げられる。
【０１０６】
本発明の物品を製造する例示的手段は、先行請求項のいずれか一項に記載の物品を製造するための連続的プロセスであり、このプロセスは、
ａ．連続的かつ回転可能に移動する、複数の型を備えるエンドレス表面の水平部分上又はその非水平部分上に第１の水溶性フィルムを連続的に供給し、当該水平部分へとフィルムを連続的に移動させる工程と、
ｂ．連続的に移動する表面の水平部分上にあり、その表面の上にある型内のフィルムから、連続的に移動し、かつ水平に配置された開放パウチのウェブを形成する工程と、
ｃ．連続的に移動し、かつ水平に配置された開放パウチのウェブに製品を充填して、水平に配置された開放充填パウチのウェブを得る工程と、
ｄ．好ましくは、開放パウチのウェブを連続的に閉じて、閉鎖パウチを得る工程、好ましくは、水平に配置された開放充填パウチのウェブ上に第２の水溶性フィルムを供給することによって、閉鎖パウチを得る工程と、
ｅ．任意に選択的に、閉鎖パウチを封止して、閉鎖パウチのウェブを得る工程と、を含む。
【０１０７】
第２の水溶性フィルムは、少なくとも１つの開放又は閉鎖区画を含み得る。
【０１０８】
一実施形態において、開放パウチの第１のウェブは、閉鎖パウチの第２のウェブと合わされ、好ましくは、第１及び第２のウェブは、一緒にされて、好適な手段によって封止され、好ましくは、第２のウェブは、回転ドラム機構である。このような機構において、パウチは、ドラムの頂部で充填され、好ましくは、その後、フィルムの層で封止され、それらの閉鎖パウチは垂れ下がって、好ましくは水平な成形面で形成されたパウチ（好ましくは、開放パウチ）の第１のウェブと合流する。回転ドラムユニットを水平成形面ユニットの上に配置するのが特に好適であることが見出されている。
【０１０９】
好ましくは、得られた閉鎖パウチのウェブを切断して、個々の物品を作り出す。
【０１１０】
当業者であれば、本発明に係る物品を製造するために必要な型の適切なサイズを認識するであろう。
【０１１１】
洗浄製品を製造するためのプロセス
当業者に既知の任意の好適なプロセスを用いて、本発明の洗浄製品を製造することができる。プロセスは、連続的であっても断続的であってもよい。
【０１１２】
プロセスは、水平フロー包装、縦型充填シール、横型充填シール又はこれらの組み合わせによって、本発明の物品を外側フィルムで包装する工程を含み得る。
【０１１３】
好ましくは、プロセスは、開口部を含む、予備成形された若しくは成形された外側フィルムを形成する工程と、重力又は機械的挿入による落下によって物品を開口部を通して予備成形された若しくは成形されたフィルムに入れる工程と、次いで、フィルム開口部を閉じて封止する工程と、を含む。
【０１１４】
あるいは、物品の周りをフィルムで包装し、次いで、封止してもよい。当業者であれば、好適な封止手段を認識しているであろう。外側可撓性フィルムは、熱シール、圧力シール、接着剤、熱活性化接着剤、圧力活性化接着剤又はこれらの組み合わせによって封止することができる。外側可撓性フィルムは、洗浄製品が１つのみのシール、又は少なくとも２つのシール、又は更に少なくとも３つのシールを含むように封止され得る。可撓性外側フィルムは、洗浄製品が、製品の両側に配置された２つのシールを含むように成形され得る。あるいは、製品が、製品の長さに沿って続く１つのシールを含むように成形され得る。あるいは、フィルムは、製品が３つのシールを含み、その１つが製品の長さにわたり、更なる２つのシールが製品の両側に配置されてあるように成形され得る。
【０１１５】
洗浄製品を使用する方法
本方法は、外側可撓性非水溶性フィルムを破ることによって、内部室から可撓性水溶性物品を放出する工程を含む。次いで、物品は、自動洗濯機の内部空間のドラムに入れられ得る。あるいは、自動洗濯機のドラムに入れてもよい。あるいは、洗浄溶液に加えてもよい。あるいは、染み又は汚れた領域に直接添加してもよい。
【０１１６】
洗浄溶液は、任意の好適な温度、好ましくは１０°〜９０℃又は更に１５℃〜６０℃であってもよい。洗浄溶液は、自動洗浄操作の１つ又は２つ以上の洗浄サイクルに存在していてもよい。
【０１１７】
パッケージ
本発明はまた、本発明に係る少なくとも１つの洗浄製品を含むパッケージである。パッケージは、少なくとも２個、又は更に少なくとも５個、又は更に少なくとも１０個の洗浄製品を含み得る。
【０１１８】
パッケージは、剛性、可撓性又はこれらの組み合わせであってもよい。パッケージは、再封可能な開口部を含む。
【０１１９】
パッケージは、再密閉可能な蓋を備える剛性容器であってもよい。再密閉可能な蓋は、ラッチを含んでいてもよい。開口部は、チャイルドレジスタント手段を含んでもよく、すなわち、子供にとっては当該パッケージの開封が困難であるような手段を含み得る。
【０１２０】
パッケージが存在する場合、ユーザは、パッケージから１つ又は２つ以上の洗浄製品を選択し、次いで、上で詳述したようにその洗浄製品を使用することができる。
【実施例】
【０１２１】
本発明に係る例示的な洗浄製品は、内部室を画定する外側可撓性非水溶性フィルムを含む。外側可撓性フィルムは、プラスチック材料を含む。内部室内には、可撓性水溶性物品が収容される。水溶性物品は、３つの内部区画を画定する３つの水溶性ポリビニルアルコールフィルムを含み、これらの区画は、重なり合った配向で配置される。２つの区画は、並置され、第３の区画の上に重ねて置かれる。物品は、液体布地洗浄組成物を含む。
【０１２２】
本発明に係る別の例示的な洗浄製品は、内部室を画定する外側可撓性非水溶性フィルムを含む。外側可撓性フィルムは、プラスチック材料を含み、外側可撓性フィルムは、ネットの形状になるように孔を含む。内部室内には、可撓性水溶性物品が収容される。水溶性物品は、３つの内部区画を画定する３つの水溶性ポリビニルアルコールフィルムを含み、これらの区画は、重なり合った配向で配置される。２つの区画は、並置され、第３の区画の上に重ねて置かれる。物品は、液体布地洗浄組成物を含む。
【０１２３】
本発明に係る更に別の例示的な洗浄製品は、内部室を画定する外側可撓性非水溶性フィルムを含む。外側可撓性フィルムは、プラスチック材料を含み、外側可撓性フィルムは、印刷領域を含む。内部室内には、可撓性水溶性物品が収容される。水溶性物品は、３つの内部区画を画定する３つの水溶性ポリビニルアルコールフィルムを含み、これらの区画は、重なり合った配向で配置される。２つの区画は、並置され、第３の区画の上に重ねて置かれる。物品は、液体布地洗浄組成物を含む。
【０１２４】
本発明に係る更なる例示的な洗浄製品は、内部室を画定する外側可撓性非水溶性フィルムを含む。外側可撓性フィルムは、プラスチック材料を含み、外側可撓性フィルムは、外側フィルムの開封を補助するための脆弱領域を含む。内部室内には、可撓性水溶性物品が収容される。水溶性物品は、３つの内部区画を画定する３つの水溶性ポリビニルアルコールフィルムを含み、これらの区画は、重なり合った配向で配置される。２つの区画は、並置され、第３の区画の上に重ねて置かれる。物品は、液体布地洗浄組成物を含む。
【０１２５】
更なる例示的な洗浄製品は、上記の全ての洗浄製品を含み、可撓性物品は、印刷領域を含む。例示的な洗浄製品は、上記の全ての洗浄製品を含み、可撓性物品は、印刷領域が物品の内部組成物に接触するように水溶性フィルムの内側に印刷された印刷領域を含む。
【０１２６】
更に別の例示的な洗浄製品は、上記の全ての洗浄製品を含み、可撓性物品は、水溶性フィルム中に存在する嫌悪剤を含む。具体例としては、嫌悪剤は、安息香酸デナトニウムであり、１ｐｐｍ〜５０００ｐｐｍの濃度で存在するものである。
【０１２７】
更なる例示的な洗浄製品は、上記の全ての洗浄製品を含み、可撓性物品は、印刷領域を含み、可撓性物品は、水溶性フィルム中に存在する嫌悪剤を含む。具体例としては、可撓性物品は、印刷領域が物品の内部組成物に接触するように水溶性フィルムの内側に印刷された印刷領域を含み、嫌悪剤は、安息香酸デナトニウムであり、１ｐｐｍ〜５０００ｐｐｍの濃度で存在している。
【０１２８】
本明細書において開示されている寸法及び値は、列挙されている正確な数値に厳密に限定されるものと理解すべきではない。それよりむしろ、特に指定されない限り、こうした寸法はそれぞれ、列挙された値とその値周辺の機能的に同等の範囲との両方を意味するものとする。例えば、「４０ｍｍ」として開示される寸法は、「約４０ｍｍ」を意味することが意図される。
【国際調査報告】
2017522420.tif 000008
2017522420.tif 000009